(57)【要約】【課題】本発明の目的は、コンデンサのコストアップ、大型化することなく、コンデンサ素子の放熱特性を向上させることができるコンデンサを提供することにある。【解決手段】本発明は、単数又は複数のコンデンサ素子１２と、コンデンサ素子１２を収容し、冷却器１６に取着される収容体１０と、コンデンサ素子１２からの熱を冷却器側へ放出する放熱部材１４と、を有するコンデンサ１であって、放熱部材１４はコンデンサ素子１２に設置されるとともに、放熱部材１４の一部が冷却器１６を流れる冷媒と接するように冷却器１６内へ挿通され、放熱部材１４のうち、少なくとも冷却器１６内へ挿通される箇所（ｄ）には、アルマイト処理が施されている。【選択図】図１
2009289944.tif 000002
【特許請求の範囲】
【請求項１】
単数又は複数のコンデンサ素子と、前記コンデンサ素子を収容し、冷却器に取着される収容体と、コンデンサ素子からの熱を冷却器側へ放出する放熱部材と、を有するコンデンサであって、
前記放熱部材は前記コンデンサ素子に設置されるとともに、前記放熱部材の一部が前記冷却器内を流れる冷媒と接するように前記冷却器内へ挿通され、
前記放熱部材のうち、少なくとも前記冷却器内へ挿通される箇所には、アルマイト処理が施されていることを特徴とするコンデンサ。
【請求項２】
請求項１に記載のコンデンサであって、前記コンデンサ素子は、倦回型であることを特徴とするコンデンサ。
【請求項３】
請求項１又は２に記載のコンデンサであって、前記放熱部材は、前記コンデンサ素子の端面に設置されるとともに、前記放熱部材の一部が前記冷却器内を流れる冷媒と接するように前記冷却器内へ挿通されることを特徴とするコンデンサ。
【請求項４】
請求項１又は２に記載のコンデンサであって、前記放熱部材は、隣り合うコンデンサ素子間に設置されるとともに、前記放熱部材の一部が前記冷却器を流れる冷媒と接するように前記冷却器内へ挿通されることを特徴とするコンデンサ。
【請求項５】
請求項２に記載のコンデンサであって、前記放熱部材は、前記コンデンサの巻芯部に設置されるとともに、前記放熱部材の一部が前記冷却器を流れる冷媒と接するように前記冷却器内へ挿通されることを特徴とするコンデンサ。
【請求項６】
請求項５に記載のコンデンサであって、前記冷却器内へ挿通される放熱部材の箇所にねじ切り部が設けられていることを特徴とするコンデンサ。
【請求項７】
請求項６に記載のコンデンサであって、前記ねじ切り部に、アルマイト処理が施されていることを特徴とするコンデンサ。
【請求項８】
請求項６又は７に記載のコンデンサであって、前記ねじ切り部に、シール材が設けられていることを特徴とするコンデンサ。
【請求項９】
請求項５に記載のコンデンサであって、前記冷却器内へ挿通される放熱部材の箇所に、放熱フィンが設けられていることを特徴とするコンデンサ。
【発明の詳細な説明】
【技術分野】
【０００１】
本発明は、コンデンサの構造に関する。
【背景技術】
【０００２】
コンデンサは小型、大型のものを含めて、様々な産業機器に使われている基本的電気部品である。一般的なコンデンサは、誘電体層の両側に電極が配置され、それらを倦回したコンデンサ素子と、コンデンサ素子が収容される収容体とを備える。
【０００３】
通常、コンデンサ素子に電流を通電させると、コンデンサ素子は発熱する。そして、コンデンサ素子の放熱特性が悪いと、コンデンサ素子の温度は上昇し、コンデンサ自体の特性劣化又は寿命低下といった不具合を引き起こす虞がある。このような不具合を改善するため、コンデンサ素子の放熱特性を向上させる必要がある。
【０００４】
図８は、従来のコンデンサの構成を示す模式断面図である。例えば、特許文献１には、図８に示すように、コンデンサ素子３２と、ヒートパイプ３４と、コンデンサ素子３２を収容する収容体３６と、を備えるコンデンサ６が冷却器３８に設置されている。冷却器３８には、冷媒の通路となる冷却部４０と、不図示の冷媒入口及び出口が形成されている。ヒートパイプ３４は、コンデンサ素子３２の熱を冷却器３８側へ放出する機能を有するものであり、コンデンサ素子３２の巻芯部４２に設置され、ヒートパイプ３４の一部が冷却器３８内へ挿通されている。なお、図８に示す収容体３６は、ボルト等の締結具４４により冷却器３８に固定されている。また、冷却器３８を流れる冷媒が外部に流出しないように、収容体３６と冷却器３８との間にＯリング４６が設けられている。上記構成によって、コンデンサ素子３２に電流を通電した際に発生する熱は、ヒートパイプ３４を経由して、冷却部４０を流れる冷媒に伝わり、冷媒から外部に熱が放出されるため、コンデンサ素子３２の放熱特性を向上させることができる。
【０００５】
【特許文献１】特開平１１−３２９８９９号公報
【特許文献２】特開平１１−２０４３７８号公報
【特許文献３】実開昭６３−３６７１３号公報
【特許文献４】特開平７−２０１６７９号公報
【特許文献５】特開昭６４−８００１５号公報
【発明の開示】
【発明が解決しようとする課題】
【０００６】
しかし、特許文献１のコンデンサでは、電気絶縁対策がなされておらず、ヒートパイプと冷却器、特に冷却部を流れる冷媒とが導通し、コンデンサのショート、漏れ電流等が発生する虞がある。単純に電気絶縁対策を行おうとすると、絶縁シート等の絶縁部材を複雑に配置しなければならなくなり、コンデンサのコストアップ、大型化が問題となる。
【０００７】
そこで、本発明の目的は、コンデンサのコストアップ、大型化することなく、コンデンサ素子の放熱特性を向上させることができるコンデンサを提供することにある。
【課題を解決するための手段】
【０００８】
本発明は、単数又は複数のコンデンサ素子と、前記コンデンサ素子を収容し、冷却器に取着される収容体と、コンデンサ素子からの熱を冷却器側へ放出する放熱部材と、を有するコンデンサであって、前記放熱部材は前記コンデンサ素子に設置されるとともに、前記放熱部材の一部が前記冷却器を流れる冷媒と接するように前記冷却器内へ挿通され、前記放熱部材のうち、少なくとも前記冷却器内へ挿通される箇所には、アルマイト処理が施されている。
【０００９】
また、前記コンデンサにおいて、前記コンデンサ素子は、倦回型であることが好ましい。
【００１０】
また、前記コンデンサにおいて、前記放熱部材は、前記コンデンサ素子の端面に設置されるとともに、前記放熱部材の一部が前記冷却器内を流れる冷媒と接するように前記冷却器内へ挿通されることが好ましい。
【００１１】
また、前記コンデンサにおいて、前記放熱部材は、隣り合うコンデンサ素子間に設置されるとともに、前記放熱部材の一部が前記冷却器内を流れる冷媒と接するように前記冷却器内へ挿通されることが好ましい。
【００１２】
また、前記コンデンサにおいて、前記放熱部材は、前記コンデンサの巻芯部に設置されるとともに、前記放熱部材の一部が前記冷却器内を流れる冷媒と接するように前記冷却器内へ挿通されることが好ましい。
【００１３】
また、前記コンデンサにおいて、前記冷却器内へ挿通される放熱部材の箇所に、ねじ切り部が設けられていることが好ましい。
【００１４】
また、前記コンデンサにおいて、前記ねじ切り部に、アルマイト処理が施されていることが好ましい。
【００１５】
また、前記コンデンサにおいて、前記ねじ切り部に、シール材が設けられていることが好ましい。
【００１６】
また、前記コンデンサにおいて、前記冷却器内へ挿通される放熱部材の箇所に、放熱フィンが設けられていることが好ましい。
【発明の効果】
【００１７】
本発明によれば、コンデンサのコストアップ、大型化することなく、コンデンサ素子の放熱特性を向上させることができる。
【発明を実施するための最良の形態】
【００１８】
本発明の実施の形態について以下説明する。
【００１９】
図１は、本発明の実施形態に係るコンデンサの構成の一例を示す模式断面図である。図１に示すように、コンデンサ１は、収容体１０と、コンデンサ素子１２と、放熱部材１４と、を備えている。不図示であるが、コンデンサ素子にはリードが設けられており、リードは収容体に設けられる端子（不図示）と接続されている。
【００２０】
収容体１０は、単数又は複数のコンデンサ素子１２を収容するものである。また、収容体１０は、冷却器１６に取着されている。具体的には、図１に示すように、収容体１０は、ボルト等の締結具１８により、冷却器１６に締結されている。また、収容体１０と冷却器１６との間には、冷却器１６を流れる冷却水が外部へ流出しないように、Ｏリング２０が設けられている。収容体１０の材質は、例えば、ポリフェニレンスルフィド、ポリブチレンテレフタレート、ポリエーテルエーテルケトン等の樹脂材料等が挙げられる。
【００２１】
収容体１０が取着される冷却器１６について説明する。図１に示すように、冷却器１６は、冷却入口（不図示）と、冷却出口（不図示）と、冷媒が流れる通路となる冷却部２２と、を備える。冷却器１６では、冷却入口から導入された冷媒が、冷却部２２を流れ（例えば、図１に示す矢印方向）、冷却出口から冷媒が排出される。本実施形態における冷却器１６の具体例としては、コンデンサを冷却するための冷却用ブスパ、コンデンサが用いられるインバータ回路等の電子機器用の冷却器等である。コスト、機器の大型化等を抑えることができる点で、インバータ回路等の電子機器用の冷却器を用いることが好ましい。
【００２２】
図１に示すように、放熱部材１４は、コンデンサ素子１２に設置されるとともに、放熱部材１４の一部が冷却器１６の冷却部２２を流れる冷媒と接するように、冷却器１６の冷却部２２内へ挿通されている。放熱部材１４を冷却器１６の冷却部２２内へ挿通させるために、収容体１０及び冷却器１６の隔壁（１０ａ，１６ａ）には、放熱部材１４が貫通する貫通孔が形成されている。収容体１０の隔壁１０ａに形成される貫通孔は、冷却器１６を通る冷媒が収容体１０内に流出しないように、放熱部材１４の径と同等の径を有するものであることが好ましく、また、貫通孔が形成された隔壁１０ａと放熱部材１４との間にはＯリング（不図示）が設けられることが好ましい。冷却器１６の隔壁１６ａに形成される貫通孔は、放熱部材１４の径と同等の径を有するものであってもよいが、図１に示すように放熱部材１４の径より大きい径を有するものであることが好ましい。これにより、冷媒を収容体１０に接触させることができるため、収容体１０内のコンデンサ素子１２の放熱特性を向上させることができる。
【００２３】
放熱部材１４には、アルマイト処理が施されている。アルマイト処理は、放熱部材１４全体に施されるものであってもよいが、少なくとも冷却器１６の冷却部２２へ露出する放熱部材１４の箇所（図１に示すｄ）にアルマイト処理が施されていればよい。放熱部材１４は、アルマイト処理を施すことができるようなアルミニウム材又は銅等の金属の芯材の表面にアルミニウム層を形成したもの等である。また、放熱部材１４は、必ずしもヒートパイプ構造を有するものである必要はない。アルミニウム材又は金属の芯材の表面にアルミニウム層を形成したものでも、コンデンサ素子１２の熱を冷却器１６側へ放出することができるためである。放熱部材１４へのアルマイト処理は、例えば、アルミニウム材を硫酸、リン酸又はシュウ酸水溶液等に浸漬させ、電気分解（例えば、電流密度１０ｍＡ／ｃｍ２）する処理方法である。アルミニウム材にアルマイト処理をすることにより、アルミニウム材上にＡｌ２Ｏ３等のアルマイト被膜が形成されるため、アルマイト処理した箇所は電気的絶縁性が向上する。
【００２４】
コンデンサ素子１２に電流を通電させると、コンデンサ素子１２は発熱する。本実施形態では、コンデンサ素子１２に設置された放熱部材１４の一部は、冷却器１６内（実質的には冷却部２２）を流れる冷媒と接している。そのため、コンデンサ素子１２に電流を通電した際に発生する熱は、放熱部材１４を経由して、冷却部２２を流れる冷媒に伝わり、冷媒から外部に熱が放出される。これにより、コンデンサ素子１２の放熱特性を向上させることができる。また、本実施形態では、放熱部材１４のうち、少なくとも冷却器１６内へ挿通された箇所（具体的には、冷媒と接する箇所）にアルマイト処理が施されているため、放熱部材１４と冷却器１６、特に冷却部２２を流れる冷媒との絶縁性が確保される。その結果、コンデンサのショート、漏れ電流の発生を抑制することができる。また、放熱部材１４と冷却器１６及び冷却部２２を流れる冷媒との絶縁性を確保するために、絶縁シート等の絶縁材を複雑に配置する必要がないため、コンデンサのコストアップ、大型化を抑制することができる。
【００２５】
コンデンサ素子１２は、誘電体層の両側に電極（陽極と陰極）が配置され、それらを積層又は倦回した構造である。コンデンサ素子１２は、製造が容易である点、コンデンサ素子１２の熱を放熱部材１４に伝達し易い構造である点等で、誘電体層の両側に電極（陽極と陰極）が配置され、それらを倦回した倦回型であることが好ましい。
【００２６】
コンデンサ素子１２における放熱部材１４の設置箇所は、特に制限されるものではないが、図１に示すように、コンデンサ素子１２の端面であることが好ましい。積層、倦回されたコンデンサ素子１２の端面に放熱部材１４を設置することにより、コンデンサ素子１２の熱を効率的に放熱部材１４へ伝達させることができる。また、コンデンサ素子１２の端面にメタリコン等の金属層（集電層）が形成される場合には、コンデンサ素子１２の端面に形成される金属層上に放熱部材１４を設置することが好ましい。
【００２７】
図２は、本発明の実施形態に係るコンデンサの構成の他の一例を示す模式断面図である。図２に示すコンデンサにおいて、図１に示すコンデンサ１と同様の構成については同一の符合を付している。図２に示すように、コンデンサ２は、複数のコンデンサ素子１２ａ，１２ｂが収容体１０内に収容されている。そして、隣り合うコンデンサ素子１２ａ，１２ｂ間に放熱部材１４が設置されるとともに、放熱部材１４の一部が冷却器１６内を流れる冷媒に接するように冷却器１６内へ挿通されている。放熱部材１４は、隣り合うコンデンサ素子１２ａ，１２ｂのうち少なくともいずれか一方に接していればよい。コンデンサ素子が収容体内に複数収容されると、コンデンサ素子間の熱干渉が起こり、コンデンサ素子の劣化を引き起こす場合がある。本実施形態では、上記構成によって、放熱部材１４を介してコンデンサ素子の熱を冷却器１６側放出することができるため、隣り合うコンデンサ素子１２ａ，１２ｂ間の熱干渉を抑制することができる。
【００２８】
図３は、インバータ回路の一例を示す図である。図３に示すインバータ回路８では、バッテリ１３から各出力ラインを介してＭＧ（モータジェネレータ）に接続されている。図３に示すインバータ回路８において、Ｑはパワートランジスタ、Ｄはダイオード、Ｌはリアクトルを示す。コンデンサ素子１２ａは、フィルタコンデンサ素子であり、コンデンサ素子１２ｂは、平滑コンデンサ素子である。図３に示すインバータ回路８の動作についての説明は省略するが、インバータ回路８の動作時において、フィルタコンデンサ素子１２ａのＰ１側電位と平滑コンデンサ素子１２ｂのＰ２側電位との値は、それぞれ異なる。通常、このような場合、絶縁距離を確保するために、所定の間隔をあけて、フィルタコンデンサ素子１２ａと平滑コンデンサ素子１２ｂとを配置させる必要があり、機器が大型化してしまう。本実施形態では、フィルタコンデンサ素子１２ａと平滑コンデンサ素子１２ｂのように電位の異なるコンデンサ素子間に放熱部材１４を配置する場合、放熱部材１４のアルマイト処理は、冷媒に接する放熱部材１４の箇所だけでなく、放熱部材１４全体にアルマイト処理をすることが好ましい。これにより、電位の異なるコンデンサ素子間の絶縁性を確保することができるため、コンデンサ素子間の距離の短縮化を図ることも可能であり（図２に示すように、放熱部材を介して両コンデンサ素子を当接させてもよい）、機器の小型化も可能となる。
【００２９】
図４は、本発明の実施形態に係るコンデンサの構成の他の一例を示す模式断面図である。図４に示すコンデンサ３において、図１に示すコンデンサ１と同様の構成については、同一の符合を付している。図４に示すように、放熱部材１４は、収容体１０に収容されているコンデンサ素子１２の巻芯部２４に設置されるとともに、放熱部材１４の一部が冷却器１６の冷却部２２を流れる冷媒と接するように、冷却器１６内へ挿通されている。また、上記説明したように、放熱部材１４のうち、少なくとも冷却器１６内へ挿通された箇所に、アルマイト処理が施されている。コンデンサ素子１２の巻芯部２４に放熱部材１４を設置する一例として、例えば、誘電体フィルムの両側に電極箔（陽極箔と陰極箔）を配置したものを放熱部材１４に巻き付ける方法が挙げられる。すなわち、放熱部材１４を巻芯として用いることにより、コンデンサ素子１２の巻芯部２４に放熱部材１４を配置させることができる。
【００３０】
コンデンサ素子１２に電流を通電させると、コンデンサ素子１２は発熱し、コンデンサ素子１２の温度は高くなる。特に、コンデンサ素子１２の巻芯部２４に向かうほど、熱を外部へ放熱することが難しくなるため、発熱により上昇するコンデンサ素子１２の温度は、コンデンサ素子１２の巻芯部２４に向かうほど高くなる。本実施形態では、放熱部材１４がコンデンサ素子１２の巻芯部２４に設けられているため、放熱部材１４を介してコンデンサ素子１２の熱を冷媒へ放出させることができる。特に、温度が高くなるコンデンサ素子１２の巻芯部２４の熱を効率的に冷媒へ放出させることができる。その結果、コンデンサ素子１２の放熱特性を向上させることができる。また、放熱部材１４は、アルマイト処理が施されているため、放熱部材１４と冷却器１６、特に冷却部２２を流れる冷媒との絶縁性が確保される。その結果、コンデンサのショート、漏れ電流の発生を抑制することができる。
【００３１】
コンデンサ素子１２を収容体１０及び冷却器１６に固定する場合には、通常、コンデンサ素子１２の巻芯部２４にはナットが挿入され、収容体１０及び冷却器１６の隔壁（１０ａ，１６ａ）にねじ切り部が形成される。そして、ボルト等の締結具を収容体１０及び冷却器１６の隔壁（１０ａ，１６ａ）のねじ切り部及び巻芯部２４のナットに挿通させることにより、ねじ固定される。このような構成では、ねじ固定の際に、コンデンサ素子１２に機械的な力が作用し、コンデンサ素子１２が損傷する虞がある。図５は、本発明の実施形態に係るコンデンサの構成の他の一例を示す模式断面図である。図６は、図５に示す冷却器内へ挿通される放熱部材の箇所を示す模式図である。本実施形態のコンデンサ４は、図４に示すコンデンサ３の構成に加え、図６に示すように、冷却器１６内へ挿通される放熱部材１４の箇所には、ねじ切り部２６が設けられており、冷却器１６の隔壁１６ａに設けられたねじ切り部２８とねじ固定される。隔壁１６ａに設けられたねじ切り部２８は、放熱部材１４を冷却器１６の冷却部２２内へ挿通させるために設けられた冷却器１６の隔壁１６ａの貫通孔に形成されている。放熱部材に形成されたねじ切り部２６と隔壁１６ａに設けられたねじ切り部２８とをねじ固定するために、冷却器１６の隔壁１６ａに形成される貫通孔は、放熱部材１４の径と同等の径を有するものである。上記構成によって、ねじ固定の際に、コンデンサ素子１２自体に機械的な力が作用することを抑制することができるため、コンデンサ素子１２の損傷を防ぐことができる。
【００３２】
また、本実施形態では、上記ねじ切り部（２６，２８）によって、放熱部材１４と冷却器１６とが締結されるとともに、収容体１０と冷却器１６との間も締結される。したがって、図４に示すボルト等の締結具１８を用いて、収容体１０を冷却器１６に締結する必要はない。但し、収容体１０と冷却器１６との間の強固な締結力を確保する場合には、図４に示すボルト等の締結具１８を用いて、収容体１０を冷却器１６に締結させてもよい。
【００３３】
また、本実施形態では、放熱部材１４と冷却器１６及び冷媒との絶縁性を確保するために、放熱部材１４に形成したねじ切り部２６にもアルマイト処理が施されることが好ましい。
【００３４】
また、本実施形態では、放熱部材１４に形成したねじ切り部２６にシール材を設けることが好ましい。上記構成により、放熱部材１４と冷却器１６（冷却器１６の貫通孔）との間の気密性を確保することができるため、冷却器１６の冷媒が外部へ流出することを抑制することができる。シール材は、放熱部材１４と冷却器１６（冷却器１６の貫通孔）との間の気密性を高めるためにある程度の弾性を有するものであり、例えば、シールテープ（接着テープ）、ガスケット等が挙げられる。例えば、シールテープ（接着テープ）を放熱部材１４に形成したねじ切り部２６に巻き付けることによって、容易に放熱部材１４と冷却器１６（冷却器１６の貫通孔）との間の気密性を高めることが可能である。
【００３５】
図７は、本発明の実施形態に係るコンデンサの構成の他の一例を示す模式断面図である。図７に示すコンデンサ５において、図４に示すコンデンサ３と同様の構成については同一の符合を付している。図７に示すように、冷却器１６内へ挿通する放熱部材１４の箇所には、放熱フィン３０が設けられている。放熱フィン３０を設けることによって、コンデンサ素子１２から放熱部材１４に伝達された熱を効率よく冷媒に放出させることができ、コンデンサ素子１２の放熱特性を向上させることができる。
【００３６】
図７に示す放熱フィン３０は、複数のピンフィンが互いに所定の間隔をあけて、冷媒の流れ方向に対して垂直に配置されている。複数のフィンの方向は、上記に制限されるものではなく、例えば、冷媒の流れに沿って配置されるものであってもよい。また、放熱フィン３０のフィン形状は、ピンフィンに制限されるものではなく、ストレートフィン、ウェーブフィン等特に制限されるものではない。しかし、複数のピンフィンが互いに所定の間隔をあけて、冷媒の流れ方向に対して垂直に配置されている放熱フィン３０を放熱部材１４に設けることによって、冷却部２２を流れる冷媒が、放熱フィン３０に衝突する際に、乱流が形成され、冷媒と放熱フィン３０との間の熱交換が促進される。その結果、コンデンサ素子１２の放熱特性を向上させることができる。また、冷却器、特に冷媒との絶縁性を確保するために、放熱フィン３０にもアルマイト処理が施されることが好ましい。
【００３７】
コンデンサ素子１２は、例えば、プラスチックフィルムコンデンサ用、セラミックコンデンサ用、アルミ電解コンデンサ用、電気二重層用コンデンサ用等のコンデンサ素子等が用いられるが、コンデンサ素子１２としての機能を有するものであれば特に制限されるものではない。プラスチックフィルムコンデンサ用、セラミックコンデンサ用のコンデンサ素子は、例えば、陽極箔と陰極箔との間に誘電体フィルムを介在させ、それらを積層又は倦回することにより形成される。プラスチックフィルムコンデンサ用のコンデンサ素子の誘電体フィルムは、例えば、ポリエチレンテレフタレート、ポリプロピレン、ポリエチレンナフタレート等の樹脂材料から構成される。セラミックコンデンサ用のコンデンサ素子の誘電体フィルムは、チタン酸バリウム等のセラミック材料から構成される。アルミ電解コンデンサ用のコンデンサ素子は、例えば、陽極アルミ箔と陰極アルミ箔との間に電解紙（セパレータ）を介在させ、それらを積層又は倦回することにより形成される。電気二重層コンデンサ用のコンデンサ素子は、例えば、陽極用カーボン電極と陰極用カーボン電極との間にセパレータを介在させ、それらを積層又は倦回することにより形成される。そして、アルミ電解コンデンサ用、電気二重層コンデンサ用のコンデンサ素子には、電解液が含浸されている。
【００３８】
以上のように、本実施形態では、コンデンサ素子からの熱を冷却器側へ放出する放熱部材をコンデンサ素子に設置し、当該放熱部材の一部を冷媒と接するように冷却器内へ挿通させ、さらに、少なくとも冷却部へ露出する放熱部材の箇所にアルマイト処理を施すことにより、放熱部材と冷却器、特に冷媒との絶縁性の確保及びコンデンサ素子の放熱特性を向上させることができる。その結果、コンデンサのショート、漏れ電流を抑制することができる。また、絶縁性確保のために、絶縁シート等の絶縁材を複雑に配置する必要がないため、コンデンサのコストアップ、大型化を抑制することも可能である。
【図面の簡単な説明】
【００３９】
【図１】本発明の実施形態に係るコンデンサの構成の一例を示す模式断面図である。
【図２】本発明の実施形態に係るコンデンサの構成の他の一例を示す模式断面図である。
【図３】インバータ回路の一例を示す図である。
【図４】本発明の実施形態に係るコンデンサの構成の他の一例を示す模式断面図である。
【図５】本発明の実施形態に係るコンデンサの構成の他の一例を示す模式断面図である。
【図６】図５に示す冷却器内へ挿通される放熱部材の箇所を示す模式図である。
【図７】本発明の実施形態に係るコンデンサの構成の他の一例を示す模式断面図である。
【図８】従来のコンデンサの構成を示す模式断面図である。
【符号の説明】
【００４０】
１〜６  コンデンサ、８  インバータ回路、１０，３６  収容体、１０ａ，１６ａ  隔壁、１２，３２  コンデンサ素子、１２ａ  フィルタコンデンサ素子、１２ｂ  平滑コンデンサ素子、１４  放熱部材、１６，３８  冷却器、１８，４４  締結具、２０，４６  Ｏリング、２２，４０  冷却部、２４，４２  巻芯部、２６，２８  ねじ切り部、３０  放熱フィン、３４  ヒートパイプ。
【図１】
2009289944.tif 000003
【図２】
2009289944.tif 000004
【図３】
2009289944.tif 000005
【図４】
2009289944.tif 000006
【図５】
2009289944.tif 000007
【図６】
2009289944.tif 000008
【図７】
2009289944.tif 000009
【図８】
2009289944.tif 000010